【手続補正書】
【提出日】平成25年3月27日(2013.3.27)
【手続補正１】
【補正対象書類名】明細書
【補正対象項目名】００５１
【補正方法】変更
【補正の内容】
【００５１】
以下の実施例によって、本発明を更に説明する。
本発明の好ましい態様は、以下を包含する。
〔１〕ヒドロキシル基含有カーボンナノチューブであって、その表面が、表面に共有結合された、一般式（１）および／または一般式（２）：
【化５】
2012523360.tif 000001
［式中、（ＣＮＴ）はカーボンナノチューブの表面を表し、Ｒ１およびＲ２はそれぞれ独立して、水素、アルキル基またはアリール基である。］
で示される基から選択されるヒドロキシアルキルエステル基を有することを特徴とする、ヒドロキシル基含有カーボンナノチューブ。
〔２〕Ｒ１およびＲ２が、それぞれ独立して、水素、メチル、エチル、ｎ−プロピル、イソプロピル、ｎ−ブチル、ｓｅｃ−ブチル、イソブチル、ｔｅｒｔ−ブチルおよび／またはフェニルであるか、或いは合わさって−（ＣＨ２）４−である、上記〔１〕に記載のヒドロキシル基含有カーボンナノチューブ。
〔３〕カーボンナノチューブが、単一壁カーボンナノチューブ、多重壁カーボンナノチューブ、円筒型多重壁カーボンナノチューブ、スクロール型多重壁カーボンナノチューブ、マルチスクロール型多重壁カーボンナノチューブ、および／またはオニオン様構造を有する多重壁カーボンナノチューブからなる群から選択される、上記〔１〕に記載のヒドロキシル基含有カーボンナノチューブ。
〔４〕（ａ）表面に共有結合されたカルボキシル基を表面が有するカーボンナノチューブを供給する工程、および
（ｂ）工程（ａ）からのカーボンナノチューブとエポキシド：
【化６】
2012523360.tif 000002
［式中、Ｒ１およびＲ２は独立して、水素、アルキル基またはアリール基である。］
とを反応させる工程
を含む、上記〔１〕に記載のヒドロキシル基含有カーボンナノチューブの製造方法。
〔５〕工程（ｂ）におけるカーボンナノチューブの反応を、触媒としての第三級アミンの存在下で実施する、上記〔４〕に記載の方法。
〔６〕工程（ｂ）におけるエポキシド中のＲ１およびＲ２が、それぞれ独立して、水素、メチル、エチル、ｎ−プロピル、イソプロピル、ｎ−ブチル、ｓｅｃ−ブチル、イソブチル、ｔｅｒｔ−ブチルおよび／またはフェニルであるか、或いは合わさって−（ＣＨ２）４−である、上記〔４〕に記載の方法。
〔７〕工程（ａ）におけるカーボンナノチューブを、単一壁カーボンナノチューブ、多重壁カーボンナノチューブ、円筒型多重壁カーボンナノチューブ、スクロール型多重壁カーボンナノチューブ、マルチスクロール型多重壁カーボンナノチューブ、および／またはオニオン様構造を有する多重壁カーボンナノチューブからなる群から選択する、上記〔４〕に記載の方法。
〔８〕工程（ｂ）における反応を１００℃〜１５０℃の温度で実施する、上記〔４〕に記載の方法。
〔９〕（ａ）表面に共有結合されたカルボキシル基を表面が有するカーボンナノチューブのポリオール中分散体を供給する工程、
（ｂ）工程（ａ）からの分散体とエポキシド：
【化７】
2012523360.tif 000003
［式中、Ｒ１およびＲ２はそれぞれ独立して、水素、アルキル基またはアリール基である。］
とを反応させる工程、および
（ｃ）工程（ｂ）で得た分散体とポリイソシアネートとを反応させる工程
を含む、カーボンナノチューブ含有ポリウレタンポリマーの製造方法。
〔１０〕工程（ｂ）における分散体とアルキレンオキシドとの反応を、触媒としての第三級アミンの存在下で実施する、上記〔９〕に記載の方法。
〔１１〕工程（ａ）におけるポリオールがポリエーテルポリオールおよび／またはポリエステルポリオールである、上記〔９〕に記載の方法。
〔１２〕工程（ｂ）におけるエポキシド中のＲ１およびＲ２が、それぞれ独立して、水素、メチル、エチル、ｎ−プロピル、イソプロピル、ｎ−ブチル、ｓｅｃ−ブチル、イソブチル、ｔｅｒｔ−ブチルおよび／またはフェニルであるか、或いは合わさって−（ＣＨ２）４−である、上記〔９〕に記載の方法。
〔１３〕工程（ｃ）におけるポリイソシアネートが、ジフェニル−４，４’−ジイソシアネートに基づくポリイソシアネートである、上記〔９〕に記載の方法。
〔１４〕カーボンナノチューブの少なくとも一部がポリウレタンポリマーに共有結合されたカーボンナノチューブ含有ポリウレタンポリマーであって、カーボンナノチューブ表面に共有結合されたヒドロキシアルキルエステル基およびポリウレタンポリマーの遊離イソシアネート基から形成されたウレタン結合が、カーボンナノチューブとポリウレタンポリマーの間に存在し、ウレタン結合が、一般式（３）および／または一般式（４）：
【化８】
2012523360.tif 000004
［式中、（ＣＮＴ）はカーボンナノチューブの表面を表し、（ＰＵＲ）はポリウレタンポリマーを表し、Ｒ１およびＲ２はそれぞれ独立して、水素、アルキル基またはアリール基である。］
からなる群から選択されることを特徴とする、カーボンナノチューブ含有ポリウレタンポリマー。
〔１５〕上記〔１〕に記載のヒドロキシル基含有カーボンナノチューブの、カーボンナノチューブ含有ポリマーを製造するための使用。
【手続補正２】
【補正対象書類名】特許請求の範囲
【補正対象項目名】全文
【補正方法】変更
【補正の内容】
【特許請求の範囲】
【請求項１】
ヒドロキシル基含有カーボンナノチューブであって、その表面が、表面に共有結合された、一般式（１）および／または一般式（２）：
【化１】
2012523360.tif 000005
［式中、（ＣＮＴ）はカーボンナノチューブの表面を表し、Ｒ１およびＲ２はそれぞれ独立して、水素、アルキル基またはアリール基である。］
で示される基から選択されるヒドロキシアルキルエステル基を有することを特徴とする、ヒドロキシル基含有カーボンナノチューブ。
【請求項２】
（ａ）表面に共有結合されたカルボキシル基を表面が有するカーボンナノチューブを供給する工程、および
（ｂ）工程（ａ）からのカーボンナノチューブとエポキシド：
【化２】
2012523360.tif 000006
［式中、Ｒ１およびＲ２は独立して、水素、アルキル基またはアリール基である。］
とを反応させる工程
を含む、請求項１に記載のヒドロキシル基含有カーボンナノチューブの製造方法。
【請求項３】
（ａ）表面に共有結合されたカルボキシル基を表面が有するカーボンナノチューブのポリオール中分散体を供給する工程、
（ｂ）工程（ａ）からの分散体とエポキシド：
【化３】
2012523360.tif 000007
［式中、Ｒ１およびＲ２はそれぞれ独立して、水素、アルキル基またはアリール基である。］
とを反応させる工程、および
（ｃ）工程（ｂ）で得た分散体とポリイソシアネートとを反応させる工程
を含む、カーボンナノチューブ含有ポリウレタンポリマーの製造方法。
【請求項４】
カーボンナノチューブの少なくとも一部がポリウレタンポリマーに共有結合されたカーボンナノチューブ含有ポリウレタンポリマーであって、カーボンナノチューブ表面に共有結合されたヒドロキシアルキルエステル基およびポリウレタンポリマーの遊離イソシアネート基から形成されたウレタン結合が、カーボンナノチューブとポリウレタンポリマーの間に存在し、ウレタン結合が、一般式（３）および／または一般式（４）：
【化４】
2012523360.tif 000008
［式中、（ＣＮＴ）はカーボンナノチューブの表面を表し、（ＰＵＲ）はポリウレタンポリマーを表し、Ｒ１およびＲ２はそれぞれ独立して、水素、アルキル基またはアリール基である。］
からなる群から選択されることを特徴とする、カーボンナノチューブ含有ポリウレタンポリマー。